(57)【特許請求の範囲】
【請求項１】
電気接続箱上に突設された一方のコネクタのハウジング近傍に設けられ、各々が軸受を備えている一対のガイド板と、前記軸受に嵌合する軸部を突設した一対の可撓支持片を有するロック部材とを有し、前記ロック部材を前記軸部回りに回動させて前記一方のコネクタに嵌合された他方のコネクタを係止するコネクタロック機構において、
前記ガイド板に、前記軸部を装着可能な仮係止部と、前記軸受と前記仮係止部を連結するガイド溝とを設け、
前記仮係止部が、前記軸部の外径より大きい第１の幅の溝により形成され、且つ前記軸部の外径とほぼ等しい第２の幅に向けてテーパとされた底部によりガイド溝に連結しており、
前記ガイド板近傍に、前記軸部を前記仮係止部に装着させた状態で前記ロック部材を支持する支持部を備え、
前記ロック部材の所定部分を押圧することで、前記仮係止部に装着された前記軸部が前記軸受に嵌合することを特徴とするコネクタロック機構。
【請求項２】
前記仮係止部が、前記軸受に向かう側の軸部の前端に摺接するテーパ面を備えていることを特徴とする請求項１に記載のコネクタロック機構。
【発明の詳細な説明】
【０００１】
【発明の属する技術分野】
本発明は、電気接続箱のコネクタハウジングに接続した相手側コネクタの抜けを二重に防止するコネクタロック機構に関するものである。
【０００２】
【従来の技術】
従来から、コネクタの嵌合状態を保持するためのコネクタロック機構として様々なものが知られている。実公平８−９９１１号公報には、先に本出願人が考案した、相手側コネクタの抜けを二重に防止するコネクタロック機構が開示されている。図７にそのコネクタロック機構を適用した電気接続箱の分解斜視図を示す。
【０００３】
同図において、電気接続箱１００の基盤１０１上には、コネクタハウジング１０２が一体的に突設され、そのコネクタハウジングの長辺側の一壁面には、一対のガイド板１０３が基盤１０１にかけて垂設されている。また、一対のガイド板１０３の中間に、補強用の差込板１０４を基盤１０１上に立設してある。各ガイド板１０３の内壁側には、上方から中間部にかけて切欠された溝１０５を設け、その溝の底部には、被枢着部としての軸孔１０６を直交して設けてある。また、コネクタハウジング１０２の短辺側の両壁面には、係止突起１０７が設けてある。
【０００４】
相手側コネクタの係止を行うためのロック部材１１０は、基部１１９から、円柱状突起１１２を先端外壁に突設した一対の可撓支持片１１１を垂下させてある。円柱状突起１１２には、後述する軸孔１０６への嵌合を行い易いようにテーパ面取りがなされている。また、基部１１９上部には相手コネクタを係止するロック板１１４を設けると共に、前記コネクタハウジングの係止突起１０７に対する可撓係止片１１３を設けてある。
【０００５】
更に、ロック部材１１０には、図８および図９に明確に示される、ほぼＪ字状に屈曲された板ばね１１６が装着されている。板ばね１１６は、図９に示すような係止孔１１７を有し、図８に示すロック部材１１０に設けられた板ばね係止突起１１８によって係止されている。
【０００６】
このようなロック部材１１０をコネクタハウジング１０２に組み付けるには、図７に示すような治具棒１２０で、基部１１９に設けられた傾斜凹部１１５をガイド板１０３側に押圧する。こうすることで、一対の可撓支持片１１１に設けられた円柱状突起１１２を、一対のガイド板１０５に設けられた軸孔１０６に嵌合させることができる。ここで、傾斜凹部１１５の垂直方向すなわち治具棒１２０の軸方向は、ロック板１１４の垂直方向に対して、角度αの傾斜を有する。このようにロック部材１１０を傾斜させた状態でコネクタハウジング１０２に組み付けることで、ロック部材１１０押込時に可撓係止片１１３がコネクタハウジングの係止突起１０７に干渉することを防いでいる。
【０００７】
上述したようなコネクタロック機構によれば、ロック部材１１０をガイド板１０３の上方に保持すると共に、治具棒１２０によりロック部材の傾斜凹部１１５を押圧することで、容易にロック部材１１０をコネクタハウジング１０２に組み付けることができるので、組付作業性が良い。
【０００８】
【発明が解決しようとする課題】
しかしながら、従来のコネクタロック機構においては、一方の手で治具棒１２０を用いて傾斜凹部１１５を押圧する際に、他方の手でロック部材１１０を保持して所定位置にロック部材１１０を位置決めしておく必要があった。このとき、板ばね１１６がコネクタハウジング１０２の壁面に弾接して、ロック部材１１０をコネクタハウジング１０２に対して離間方向に付勢するので、所定位置にロック部材１１０を保持し続けるのは面倒なものであった。
本発明は、ロック部材のコネクタハウジング近傍への組み付けを一層容易に行うことができるコネクタロック機構を提供することを目的としてなされたものである。
【０００９】
【課題を解決するための手段】
本発明に係わるコネクタロック機構は、請求項１に記載したように、電気接続箱上に突設された一方のコネクタのハウジング近傍に設けられ、各々が軸受を備えている一対のガイド板と、前記軸受に嵌合する軸部を突設した一対の可撓支持片を有するロック部材とを有し、前記ロック部材を前記軸部回りに回動させて前記一方のコネクタに嵌合された他方のコネクタを係止するコネクタロック機構において、前記ガイド板に、前記軸部を装着可能な仮係止部と、前記軸受と前記仮係止部を連結するガイド溝とを設け、前記仮係止部が、前記軸部の外径より大きい第１の幅の溝により形成され、且つ前記軸部の外径とほぼ等しい第２の幅に向けてテーパとされた底部によりガイド溝に連結しており、前記ガイド板近傍に、前記軸部を前記仮係止部に装着させた状態で前記ロック部材を支持する支持部を備え、前記ロック部材の所定部分を押圧することで、前記仮係止部に装着された前記軸部が前記軸受に嵌合することを特徴としている。
【００１０】
ここで、仮係止部としては、一対のガイド板の内壁側または外壁側に切欠された溝や、一対のガイド板の各端部に突設させたリブなどを採用できるが、特にその形態を限定しない。
【００１１】
このように構成されたコネクタロック機構によると、ガイド板に仮係止部が設けられているので、軸部をその仮係止部に装着することで、ロック部材の位置決めが容易に行われる。また、ガイド板に、仮係止部と軸受とを連結するガイド溝が設けられているので、ロック部材の所定部分を押圧することで、仮係止部に装着された軸部をスムーズに軸受に嵌合させることができる。従って、ロック部材のコネクタハウジング近傍への組み付けを一層容易に行うことができる。
【００１２】
また、本発明のコネクタロック機構が、前記ガイド板近傍に、前記軸部を前記仮係止部に装着させた状態で前記ロック部材を支持する支持部を備えているので、ロック部材を組み付ける際にロック部材を保持していなくてよいので作業の負担が軽減されて、組付作業の効率が一層向上する。
【００１３】
更に、本発明のコネクタロック機構は、請求項２に記載したように、前記仮係止部が、前記軸受に向かう側の軸部の前端に摺接するテーパ面を備えていれば、ロック部材の所定部分を押圧することで、仮係止部に装着された軸部を一層スムーズに軸受に嵌合させることができる。
【００１４】
【発明の実施の形態】
以下、本発明に係わるコネクタロック機構の実施の形態例を図１乃至図６に基づいて詳細に説明する。図１は本発明に係わるコネクタロック機構の一実施の形態例を適用した電気接続箱の分解斜視図である。
【００１５】
図１に示すように、電気接続箱１の基盤２上には、コネクタハウジング３と、軸受としての軸孔９を有する一対のガイド板５が突設されている。コネクタハウジング３の一壁面上かつ一対のガイド板５の内側には、係止突起１３を備えた一対の係止片６が突設され、更にそれら係止片６の内側には、後述する板ばねが弾接する支持面７が形成されている。
【００１６】
一方、ロック部材１５は、従来のものと同様に、テーパ面取りが施された円柱状突起１８を外側に突設した一対の可撓支持片１７と、相手コネクタを係止するロック板２０と、コネクタハウジングの係止突起１３に対する一対の可撓係止片１６と、ほぼＪ字状に屈曲された板ばね１９とを備えている。
【００１７】
そして、一対のガイド板５の内壁側には、本発明の特徴的構成である仮係止部１０が設けられている。ここで仮係止部１０は、円柱状突起１８の外径より大きい幅の溝により形成されている。また、仮係止部１０の底部は、テーパ面１０ａを介して、円柱状突起１８の外径にほぼ等しい幅のガイド溝８に連結している。更に、ガイド溝８の底部には、円柱状突起１８が回動自在に嵌合する軸孔９を直交して設けてある。
【００１８】
そして、電気接続箱１の基盤２上には、本発明のもう一つの特徴的構成である支持部１２が突設されている。
【００１９】
図２は、図１におけるＡ−Ａ断面図を示す。同図に示すように、仮係止部１０の底部に隣接するテーパ面１０ａは、ロック部材１５の円柱状突起１８に設けられたテーパ面１８ａとほぼ等しい傾斜を有している。
【００２０】
以下、図３乃至図６に基づいて、本実施形態におけるロック部材１５の組み付けを説明する。図３は、図１におけるＢ−Ｂ断面図であって、ロック部材１５が電気接続箱１に組み付けられる以前の状態を示す。ここで、コネクタハウジング３には相手側コネクタ３０が、係止手段３１、３５によって係止されている。
先ず、ロック部材１５の円柱状突起部１８を、ガイド板５の仮係止部１０に装着する。
【００２１】
すると、図４に示すように、板ばね１９の先端部がコネクタハウジング３の支持面７に弾接して、ロック部材１５をコネクタハウジング３に対して離間する方向に付勢するが、円柱状突起１８が仮係止部１０に仮係止されているので、ロック部材１５の位置がずれることはない。また、支持部１２は、ロック部材１５の内部に設けられた傾斜凹部２１が基盤２に対して平行になるようにロック部材１５を支持している。この状態において、ロック部材１５を保持していた手を放してもよい。
次に、治具棒４０により、傾斜凹部２１を図中矢印の方向に押圧する。
【００２２】
すると、図５に示すように、円柱状突起部１８が、図３に示したガイド溝８を通って軸孔９に嵌合して本係止される。
この状態において、円柱状突起１８回りにロック部材１５を回動させて、可撓係止片１６を、図１に示したコネクタハウジング３上の係止突起１３により係止すると、図６に示すように、ロック板２０で相手側コネクタ３０の肩部３２を係止することができる。
【００２３】
上述した本実施の形態例のコネクタロック機構においては、ガイド板５に、円柱状突起１８の外径より大きい幅の溝として形成された仮係止部１０が設けられ、また、仮係止部１０の底部が、テーパ面１０ａを介して、円柱状突起１８の外径にほぼ等しい幅のガイド溝８に連結され、更に、ガイド溝８の底部に軸孔９が直交して設けられている。
従って、ロック部材の円柱状突起１８を仮係止部１０に容易に装着でき、また、その状態でロック部材の傾斜凹部２１を治具棒４０により押圧することで、円柱状突起１８をスムーズに軸孔９に嵌合させることができる。
【００２４】
また、このコネクタロック機構においては、電気接続箱１の基盤２上に、円柱状突起１８を仮係止部１０に装着したとき傾斜凹部２１が基盤２に対して平行になるようにロック部材を支持する支持部１２が突設されている。
従って、円柱状突起１８を仮係止部１０に装着した状態において、ロック部材１５から一方の手を放して、他方の手で治具棒４０によりロック部材を押圧することもできるので、作業の負担が軽減される。
【００２５】
本発明のコネクタロック機構は、上述した実施の形態例では、電気接続箱に適用されたコネクタロック機構が例示されていたが、その他、様々な機器上に設けられたコネクタにも適用することができる。
【００２６】
【発明の効果】
以上、説明したように、本発明のコネクタロック機構は、請求項１に記載したように、ガイド板に、軸部を装着可能な仮係止部と、軸受と仮係止部を連結するガイド溝とを設け、前記仮係止部が、前記軸部の外径より大きい第１の幅の溝により形成され、且つ前記軸部の外径とほぼ等しい第２の幅に向けてテーパとされた底部によりガイド溝に連結しており、ロック部材の所定部分を押圧することで、仮係止部に装着された軸部を軸受に嵌合させることができる。
従って、軸部を仮係止部に装着することで、ロック部材の位置決めが容易に行われると共に、仮係止部に装着された軸部をスムーズに軸受に嵌合させることができるので、ロック部材のコネクタハウジング近傍への組付作業の効率が向上する。
【００２７】
また、本発明のコネクタロック機構は、ガイド板近傍に、軸部を仮係止部に装着させた状態でロック部材を支持する支持部を備えているので、ロック部材を組み付ける際にロック部材を保持していなくてよいので作業の負担が軽減されて、組付作業の効率が一層向上する。
【００２８】
そして、本発明のコネクタロック機構は、請求項２に記載したように、前記仮係止部が、前記軸受に向かう側の軸部の前端に摺接するテーパ面を備えていれば、ロック部材の所定部分を押圧することで、仮係止部に装着された軸部を一層スムーズに軸受に嵌合させることができるので、更に組付性が向上する。
【図面の簡単な説明】
【図１】本発明に係わるコネクタロック機構の一実施の形態例を適用した電気接続箱の分解斜視図である。
【図２】図１におけるＡ−Ａ断面図である。
【図３】図１におけるＢ−Ｂ断面図である。
【図４】図３におけるロック部材を仮係止部に装着した状態を示す図である。
【図５】図４におけるロック部材を軸受に本係止した状態を示す図である。
【図６】図５におけるロック部材を回動させて相手側コネクタを係止させた状態を示す図である。
【図７】従来のコネクタロック機構を適用した電気接続箱の分解斜視図である。
【図８】図７における縦断面図である。
【図９】図７における板ばねを示す斜視図である。
【符号の説明】
１    電気接続箱
３    コネクタハウジング
５    ガイド板
７    支持面
８    ガイド溝
９    軸孔（軸受）
１０    仮係止部
１０ａ  テーパ面
１２    支持部
１３    係止突起
１５    ロック部材
１６    可撓係止片
１７    可撓支持片
１８    円柱状突起（軸部）
１９    板ばね
２０    ロック板
２１    傾斜凹部
４０    治具棒
【図１】
0003585083.tif 000002
【図２】
0003585083.tif 000003
【図３】
0003585083.tif 000004
【図４】
0003585083.tif 000005
【図５】
0003585083.tif 000006
【図６】
0003585083.tif 000007
【図７】
0003585083.tif 000008
【図８】
0003585083.tif 000009
【図９】
0003585083.tif 000010